【事件の表示】
　特許第２６５４１３７号「吸収冷凍機の制御方法」の特許に対する特許異議の申立てについて、次のとおり決定する。
【結　論】
　訂正を認める。
　特許第２６５４１３７号の請求項１ないし３に係る特許を維持する。
【理　由】
１、手続の経緯について
　特許第２６５４１３７号の請求項１〜４に係る発明の出願は、昭和６３年１１月１８日に出願され、平成９年５月２３日にはその設定登録が、続く平成９年９月１７日にはその特許公報が発行されたものである。
　これに対し、本件特許異議申立人より、上記請求項のうち請求項１〜３に係る発明について、特許異議の申立期間内である平成１０年３月１６日に特許異議の申立がされ、平成１０年７月３１日には上記請求項１〜３に係る発明に対し、取消理由通知が本件特許権者へ発送され、その指定期間内である平成１０年９月２８日には、本件特許権者より、特許異議意見書及び訂正請求書が提出された。
　その後、上記訂正請求に対し、平成１１年５月７日及び平成１１年８月１７日の２度にわたり、訂正拒絶理由通知が本件特許権者へ発送され、同特許権者より平成１１年７月２日及び平成１１年１０月１４日に、それぞれ意見書が提出された。
２、訂正の適否について
（１）訂正明細書の各請求項に係る発明
　本件特許の訂正後の請求項１〜４に係わる発明は、それぞれ下記のとおりのものである。
なお、請求項４については、上述のごとく特許異議の申立はなされておらず、訂正請求もなされていない。
「【請求項１】再生器、凝縮器、蒸発器、及び吸収器をそれぞれ配管接続し、再生器の加熱量を蒸発器の冷水出口温度に基づいて制御する吸収冷凍機の制御方法において、再生器を加熱している通常運転中に、濃液濃度が上昇して設定値になったときには、濃液濃度が設定値になった時の再生器の加熱量より少ない加熱量に再生器の加熱量を所定時間制御し、該所定時間が経過したとき、濃液濃度が設定値より低い場合には再生器の加熱量を蒸発器の冷水出口温度に基づいて制御することを特徴とする吸収冷凍機の制御方法。
【請求項２】再生器、凝縮器、蒸発器、及び吸収器をそれぞれ配管接続し、再生器の加熱量を蒸発器の冷水出口温度に基づいて制御する吸収冷凍機の制御方法において、再生器を加熱している通常運転中に、濃液濃度が上昇して設定値になったときには、濃液濃度が設定値になった時の加熱量に１より小さい値を乗じた加熱量に再生器の加熱量を所定時間制御し、該所定時間が経過したとき、濃液濃度が設定値より低い場合には再生器の加熱量を蒸発器の冷水出口温度に基づいて制御することを特徴とする吸収冷凍機の制御方法。
【請求項３】再生器、凝縮器、蒸発器、及び吸収器をそれぞれ配管接続し、再生器の加熱量の制御弁の開度を蒸発器の冷水出口温度に基づいて制御する吸収冷凍機の制御方法において、再生器を加熱している通常運転中に、濃液濃度が上昇して設定値になったときには、濃液濃度が設定値になった時の制御弁の開度の値に１より小さい値を乗じた開度に制御弁の開度を所定時間制御し、該所定時間が経過したとき、濃液濃度が設定値より低い場合には再生器の加熱量を蒸発器の冷水出口温度に基づいて制御することを特徴とする吸収冷凍機の制御方法。
【請求項４】上記所定時間が経過したとき、濃液濃度が設定値以上の場合には吸収冷凍機の運転を停止させることを特徴とする特許請求の範囲第１項、第２項、及び第３項記載の吸収冷凍機の制御方法。」
（２）訂正の内容
（イ）本件特許明細書の特許請求の範囲の欄に記載された請求項１〜３の各記載を、下記のように訂正をする。
「【請求項１】再生器、凝縮器、蒸発器、及び吸収器をそれぞれ配管接続し、再生器の加熱量を蒸発器の冷水出口温度に基づいて制御する吸収冷凍機の制御方法において、再生器を加熱している通常運転中に、濃液濃度が上昇して設定値になったときには、濃液濃度が設定値になった時の再生器の加熱量より少ない加熱量に再生器の加熱量を所定時間制御し、該所定時間が経過したとき、濃液濃度が設定値より低い場合には再生器の加熱量を蒸発器の冷水出口温度に基づいて制御することを特徴とする吸収冷凍機の制御方法。
【請求項２】再生器、凝縮器、蒸発器、及び吸収器をそれぞれ配管接続し、再生器の加熱量を蒸発器の冷水出口温度に基づいて制御する吸収冷凍機の制御方法において、再生器を加熱している通常運転中に、濃液濃度が上昇して設定値になったときには、濃液濃度が設定値になった時の加熱量に１より小さい値を乗じた加熱量に再生器の加熱量を所定時間制御し、該所定時間が経過したとき、濃液濃度が設定値より低い場合には再生器の加熱量を蒸発器の冷水出口温度に基づいて制御することを特徴とする吸収冷凍機の制御方法。
【請求項３】再生器、凝縮器、蒸発器、及び吸収器をそれぞれ配管接続し、再生器の加熱量の制御弁の開度を蒸発器の冷水出口温度に基づいて制御する吸収冷凍機の制御方法において、再生器を加熱している通常運転中に、濃液濃度が上昇して設定他になったときには、濃液濃度が設定値になった時の制御弁の開度の値に１より小さい値を乗じた開度に制御弁の開度を所定時間制御し、該所定時間が経過したとき、濃液濃度が設定値より低い場合には再生器の加熱量を蒸発器の冷水出口温度に基づいて制御することを特徴とする吸収冷凍機の制御方法。」
（ロ）本件特許明細書の第６頁第９行〜同頁第１２行（公報第４欄第１５行〜同欄第第１８行）「濃液濃度が上昇〜所定時間制御する」の記載を、「再生器を加熱している通常運転中に、濃液濃度が上昇して設定値になったときには、濃液濃度が設定値になった時の再生器の加熱量より少ない加熱量に再生器の加熱量を所定時間制御し、該所定時間経過したとき、濃液濃度が設定値より低い場合には再生器の加熱量を蒸発器の冷水出口温度に基づいて制御する」と訂正する。
（ハ）本件特許明細書の第６頁第１７行〜同頁第２０行（公報第４欄第２３行〜同欄第２６行）「濃液濃度が上昇〜所定時間制御する」の記載を、「再生器を加熱している通常運転中に、濃液濃度が上昇して設定値になったときには、再生器（１）の加熱量をその時の加熱量に１より小さい値を乗じた加熱量に所定時間制御し、該所定時間経過したとき、濃液濃度が設定値より低い場合には再生器の加熱量を蒸発器の冷水出口温度に基づいて制御する」と訂正する。
（ニ）本件特許明細書の第７頁第６行〜同頁第９行（公報第４欄第３１行〜同欄第３４行）「濃液濃度と〜所定時間制御する」の記載を、「再生器を加熱している通常運転中に、濃液濃度と設定値とを比較し、濃液濃度が上昇して設定値になったときには、制御弁（３５）の開度をその時の制御弁（３５）の開度の値に１より小さい値を乗じた開度に所定時間制御し、該所定時間経過したとき、濃液濃度が設定値より低い場合には再生器の加熱量を蒸発器の冷水出口温度に基づいて制御する」と訂正する。
（ホ）本件特許明細書の第７頁第１６行（公報第４欄第４０行）「吸収冷凍機の運転時、」の記載を、「再生器を加熱している吸収冷凍機の通常運転時、」と訂正する。
（ヘ）本件特許明細書の第７頁第１８行〜第８頁第１行（公報第４欄第４２行〜同欄第４４行）「所定時間制御され〜可能になる。」の記載を、「所定時間制御され、該所定時間経過したとき、濃液濃度が設定値より低い場合には再生器の加熱量が蒸発器の冷水出口温度に基づいて制御されるため、再生器（１）での吸収液の濃縮が減速され、吸収液の濃度が薄くなり、吸収冷凍機の通常運転中における吸収液の結晶防止を図ることが可能になる。」と訂正する
（ト）本件特許明細書の第８頁第２行（公報第４欄第４５行）「吸収冷凍機の運転時、」の記載を、「再生器を加熱している吸収冷凍機の通常運転時、」と訂正する。
（チ）本件特許明細書の第８頁第５行〜第８頁第７行（公報第４欄第４７行〜同欄第５０行）「所定時間制御され〜可能になる。」の記載を、「所定時間制御され、該所定時間経過したとき、濃液濃度が設定値より低い場合には再生器の加熱量が蒸発器の冷水出口温度に基づいて制御されるため、再生器（１）での吸収液の濃縮が減速され、吸収液の濃度が薄くなり、吸収冷凍機の通常運転中における吸収液の結晶防止を図ることが可能になる。」と訂正する。
（リ）本件特許明細書の第８頁第１０行〜第８頁第１４行（公報第５欄第３行〜同欄第６行）「所定時間制御され〜可能になる。」の記載を、「所定時間制御され、該所定時間経過したとき、濃液濃度が設定値より低い場合には再生器の加熱量が蒸発器の冷水出口温度に基づいて制御されるため、その所定時間の間に、再生器（１）の加熱量が小さくなり、吸収液の濃縮が減速され、吸収液の濃度が薄くなり、吸収冷凍機の通常運転中における吸収液の結晶化を防止することが可能になる。」と訂正する。
（ヌ）本件特許明細書の第１０頁第１０行（公報第６欄第５行）「上記二重効用吸収冷凍装置の運転時、」の記載を、「上記二重効用吸収冷凍装置の再生器を加熱している通常運転時、」と訂正する。
（ル）本件特許明細書の第１１頁第１０行（公報第６欄第２４行）「吸収冷凍機の運転が」の記載を、「吸収冷凍機の通常運転が」と訂正する。
（ヲ）本件特許明細書の第１４頁第３行（公報第７欄第１２行）「濃液濃度が」の記載を、「吸収冷凍機の再生器を加熱している通常運転中に、濃液濃度が」と訂正する。
（ワ）本件特許明細書の第１４頁第９行（公報第７欄第１７行〜同欄第１８行）「この結果、」の記載を、「この結果、吸収冷凍機の通常運転中であっても、」と訂正する。
（カ）本件特許明細書の第１４頁第１２行（公報第７欄第２０行）「濃液濃度が」の記載を、「吸収冷凍機の再生器を加熱している通常運転中に、濃液濃度が」と訂正する。
（ヨ） 本件特許明細書の第１５頁第１４行（公報第８欄第９行）「濃液濃度が」の記載を、「吸収冷凍機の再生器を加熱している通常運転中に、濃液濃度が」と訂正する。
（夕）本件特許明細書の第１６頁第２行（公報第８欄第１５行〜同欄第１６行）「この結果、」の記載を、「この結果、吸収冷凍機の通常運転中であっても、」と訂正する。
（レ）本件特許明細書の第１６頁第７行〜同頁第８行（公報第８欄第１９行〜同欄第２１行）「所定時間制御することにより結晶防止を図ることができる。」の記載を、「所定時間制御し、該所定時間経過したとき、磯液濃度が設定値より低くなると、再生器の加熱量が蒸発器の冷水出口温度に基づいて制御されるため、吸収冷凍機の通常運転時における結晶防止を図ることができる。」と訂正する。
（ソ）本件特許明細書第１６頁第８行と第９行（公報第８欄第２１行と第２２行）の間に「このように、吸収冷凍機の再生器の加熱量を蒸発器の冷水出口温度に基づいて制御している通常運転中に、濃液濃度が設定値になった場合には、蒸発器の冷水出口温度に基づいて制御されるべき加熱量を所定時間小さくし、その結果、所定時間経過後に濃液濃度が設定値より低くなると、吸収冷凍機は、再び蒸発器の冷水出口温度に基づいて再生器の加熱量が制御されるようにしているので、吸収冷凍機の運転を停止することなく結晶防止を図ることができると共に、蒸発器の冷水出口温度に基づいて制御されるべき加熱量を所定時間小さく制御するのは、濃液濃度が設定値になった時に行うので、再生器の加熱量を蒸発器の冷水出口温度に基づいて行う通常運転の制御を犠牲にしないで済み効率的な運転ができるのである。」の記載を挿入する。
（３）訂正の目的の適否、新規事項の有無及び拡張・変更の存否
ａ、訂正事項（イ）
　訂正事項（イ）は、特許請求の範囲の減縮及び明瞭でない記載の釈明を目的とし、特許請求の範囲の請求項１〜３について訂正し、各請求項に係る発明の吸収冷凍機の制御方法がいずれも、「再生器を加熱している通常運転中」に係わるものであることを明確にするとともに、「タイマ装置（３２）から信号が出力された時点の濃液濃度が設定値より低い場合には、容量制御装置（３１）が冷水出口温度に応じた信号を制御弁（３５）へ出力し、冷水出口温度に応じた高温再生器（１）の加熱量制御が始まる。」（本件特許公報第６欄第４８行〜第７欄第２行参照）との訂正前明細書の発明の詳細な説明の記載を根拠として、濃液濃度が上昇して設定値になったとき、再生器を所定の加熱量で所定時間制御した後の制御を、「該所定時間が経過したとき、濃液濃度が設定値より低い場合には再生器の加熱量を蒸発器の冷水出口温度に基づいて制御する」よう限定的に減縮するものであるから、適法なものである。
ｂ、訂正事項（ロ）〜（ニ）
　訂正事項（ロ）〜（ニ）は、特許請求の範囲が上述のように訂正されたことに伴い、本件明細書の発明の詳細な説明における「課題を解決するための手段」をそれにならって形式的に訂正するものであるから、適法なものである。
ｃ、訂正事項（ホ）、（ト）、（ヌ）、（ル）、（ヲ）、（ワ）、（カ）、（ヨ）、（タ）
　訂正事項（ホ）、（ト）、（ヌ）、（ル）、（ヲ）、（ワ）、（カ）、（ヨ）、（タ）も、特許請求の範囲に上述のような「再生器を加熱している通常運転中」に係わるものであることを明確にする訂正がされたことに伴い、本件明細書の発明の詳細な説明の記載を、それと整合性がとれるよう訂正するものであるから、適法なものである。
ｄ、訂正事項（ヘ）、（チ）、（リ）、（レ）
　訂正事項（ヘ）、（チ）、（リ）、（レ）も、特許請求の範囲に上述のように「該所定時間が経過したとき、濃液濃度が設定値より低い場合には再生器の加熱量を蒸発器の冷水出口温度に基づいて制御する」よう訂正がされたことに伴い、本件明細書の発明の詳細な説明の記載を、それと整合性がとれるよう訂正するものであるから、適法なものである。
ｅ、訂正事項（ソ）
　訂正事項（ソ）も、特許請求の範囲が上述のように訂正されたことに伴い、本件明細書の発明の詳細な説明における「発明の効果」の項を、それにならって訂正するものであるから、適法なものである。
　なお、「再生器の加熱量を蒸発器の冷水出口温度に基づいて行う通常運転の制御を犠牲にしないで済み効率的な運転ができるものである。」との記載を追加する上記訂正は、「一時的な濃液濃度の上昇に吸収冷凍機の運転を停止させることなく対応することができ、この結果、冷水出口温度の大幅な上昇を回避することができる。」（本件公報第７欄第２８行〜第８欄第１行参照）との、訂正前明細書の発明の詳細な説明の記載からみて、願書に添付した明細書又は図面に記載した事項の範囲内のものと判断できる。
（４）独立特許要件の判断
ａ、本件取消理由通知において引用された刊行物１記載の発明
　上記取消理由通知において引用された刊行物１（特開昭６１−１７８７２号公報）には、
「吸収器に流入する吸収液の温度を感知する検出器、蒸発器内の冷媒の温度を感知する検出器または吸収器内の圧力を感知する検出器、これら検出器の信号を受けて吸収器に流入する吸収液の濃度を算出する演算器およびこの演算器により算出された濃度と前記検出器により感知された吸収液の温度での吸収液の結晶化濃度とを比較する判定器が備えられ、かつ、この判定器の信号により吸収液の結晶化の予防操作を行う機構が備えられていることを特徴とした吸収冷凍機の結晶防止装置。」（同公報特許請求の範囲）、
「第１図は本発明による吸収冷凍機の結晶防止装置の一実施例を示した概略構成説明図であり、（１）は高温発生器、（２）は低温発生器（３）および凝縮器（４）より成る発生凝縮器、（５）は蒸発器（６）および吸収器（７）より成る蒸発吸収器」（公報第２頁右上欄第１６〜２０行）、
「（２３）は高温発生器（１）の燃焼加熱室、（２４）（２４）…は燃焼ガスの流れる管、（２５）は低温発生器（３）の加熱器、（２６）、（２７）、（２８）はそれぞれ凝縮器（４）、蒸発器（６）、吸収器（７）の熱交換器」（公報第２頁左下欄第９〜１２行）、
「（４０）は燃焼加熱室（２３）への燃料供給路、（Ｖ）は燃料供給路（４０）に備えた制御弁である。（Ｓ１）は散布器（３９）内の濃液の温度を感知する第１検出器、（Ｓ２）は蒸発器（６）の冷媒液溜め（３５）内の冷媒液の温度を感知する第２検出器、（Ｃ１）は第２検出器（Ｓ２）から信号を受けて蒸発吸収器（５）内の圧力を算出すると共に第１検出器（Ｓ１）の信号を受けてこの第１検出器の感知温度と算出された圧力とにより散布器（３９）内の濃液の濃度を算出する演算器であり、この演算器には吸収液の温度、飽和蒸気圧および濃度の関係を記憶した素子やマイクロプロセッサーユニットなどが内蔵されている。」（公報第２頁左下欄第１８行〜同右下欄第１１行）、
「（Ｃ２）は演算器（Ｃ１）により算出された濃度と第１検出器（Ｓ１）の感知温度での吸収液の結晶化濃度とを比較する判定器で、この判定器には吸収液の様々の温度での結晶化濃度を記憶した素子やマイクロプロセッサーユニットなどが内蔵されている。かつまた、（Ｃ３）は判定器（Ｃ２）からの信号を受け、算出濃度が結晶化濃度に達する前に負荷に優先して制御弁（Ｖ）の開度を減じる制御器である。そして、高温発生器（１）の加熱量が制限されて吸収液の濃縮が緩和され、吸収液の結晶化が未然に防止される。」（公報第２頁右下欄第１５行〜第３頁左上欄第６行）、
「なおまた、（Ｓ）は熱交換器（２７）出口側の冷水温度を感知する検出器で、この検出器の信号により制御器（Ｃ３）を介して制御弁（Ｖ）の開度を調節し、従来の吸収冷凍機と同様に負荷に応じた加熱量の制御を行うようにしている。」（公報第３頁左上欄第１３〜１７行）、
「なお、濃液の濃度Ａを求めるに際し、低温発生器（３）内の濃液の温度と凝縮冷媒液の温度を感知して算出する方法もある。」（公報第３頁右上欄第１５〜１７行）ことが図面第１図とともに記載されている。
　これらの上記刊行物１の記載からみて、上記刊行物１には、
「発生器（２）（３）、凝縮器（４）、蒸発器（６）、及び吸収器（７）をそれぞれ配管接続し、発生器（２）（３）の加熱量を蒸発器（６）の冷水出口温度に基づいて制御する吸収冷凍機の制御方法において、発生器（２）（３）を加熱している通常運転中に、濃液濃度が結晶化濃度に達する前に、熱交換器（２７）出口側の冷水温度による加熱量の制御に優先して制御弁（Ｖ）の開度を減じる吸収冷凍機の制御方法」
が示されているということができる。
ｂ、本件取消理由通知において引用された刊行物２記載の発明
　上記取消理由通知において引用された刊行物２（実公昭５４−６２２号公報）には、
「水を冷煤、臭化リチウムを吸収剤とし、発生器、分離器、凝縮器、蒸発器、吸収器及び液体熱交換器を配管接続して構成する自然循環式吸収冷凍機において、前記凝縮器の下方に冷煤タンクを形成し、該タンクと蒸発器或は吸収器等の下部を希釈電磁弁を有する導管で接続し、冷凍運転の停止前に前記電磁弁を開いて前記冷媒タンクの冷煤液を系内の濃液部に導入してタイマーにより数分間冷凍運転を行った後に系全体の動作を停止することを特徴とする自然循環式吸収冷凍機の結晶防止装置。」（同公報特許請求の範囲）、
「冷凍サイクル運転を停止する場合には、予め希釈電磁弁Ｖを開いて冷媒タンク２１に貯溜されている冷媒液を導管２４により吸収液に導入して数分間希釈運転（冷凍運転を含む）を行った後に系全体の動作を停止すると動作中の吸収液の濃度は数％低下するので外気温度が低くなっても吸収液が結晶することはない。」（第２頁左欄第１５〜２１行）
ことが図面第１図とともに記載されている。
ｃ、本件訂正拒絶理由通知（平成１１年８月４日付け）において本件出願前に良く行われている技術として引用されたその他の刊行物記載の発明
　上記訂正拒絶理由通知において引用された特開昭６３−４９６７０号公報には、
「このような場合、本機においては温度検出器（Ｓｗ）の感知温度が前述の下限設定値［４℃］に達したとき、この検出器の信号を受ける制御器（Ｃ）により燃料制御弁（ＶＦ）が全閉されてバーナー（Ｂ）の燃焼と濃溶液ポンプ（ＰＮＡ）の作動が止められる。その結果、低温発生器（３）からの濃溶液が低温溶液熱交換器（８）をバイパスしつつ高温のままで吸収器（７）に流入する。このため、蒸発器（６）および吸収器（７）内の飽和蒸気圧、飽和温度が再び上昇し始め、熱交換器（２７）内の冷水も昇温し始めてその凍結が防止される。
そして、蒸発器（６）の冷媒液溜め（３６）における冷媒液温度が所定値［例えば６℃］以上に復帰すると、温度検出器（ＳＷ）からの信号で制御器（Ｃ）の燃料制御弁（ＶＦ）に対する全閉指令信号が解除され、バーナー（Ｂ）および濃溶液用ポンプ（ＰＮＡ）が再び稼働され、本機の通常の運転が再開される。」（同公報第３頁右上欄第１〜１７行）、
また、同じく上記訂正拒絶理由通知において引用された特開昭６２−１５５４７８号公報には、
「このようなとき、本機においては、温度検出器（ＳＣＷＴ２）の感知温度が３℃以下になるとこの温度検出器の信号によりコントローラ（Ｃ）を介して弁（Ｖ０）、（Ｖ１）が全開される一方で燃料制御弁（ＶＦ）、冷媒液流量制御弁（ＶＣＲ）、（ＶＭＲ）が調節器（ＲＶＦ）、（ＲＶＣＲ）、（ＲＶＮＲ）からのそれぞれの制御信号に優先して全閉制御されると共に冷媒液用ポンプ（ＰＲ）の作動が停止される。その結果、加熱器（２７）および温水器（２２）内の多量の冷媒液が低温発生器（３）へ戻され、濃溶液が希釈されてその飽和温度が上昇する。そして、希釈された溶液の散布される蒸発吸収器（５）内の飽和温度も直ちに上昇するため冷媒の凍結が確実に防止され、かつ、溶液の結晶も防止される。また、冷水器（２９）への冷媒液の散布が断たれてその蒸発が止まるので、冷水の凍結も確実に防止される。さらにまた、高温発生器（１）へ戻る溶液の沸騰温度も低くなるので、そのオーバーヒートも防止される。
　そして冷水温度が上昇して温度検出器（ＳＣＷＴ２）の感知温度が３℃を越えると、再び、弁（Ｖ０）、（Ｖ１）全閉される一方燃料制御弁（ＶＦ）、冷媒液流量制御弁（ＶＣＲ）、（ＶＭＲ）は調節器（ＲＶＦ）、（ＲＶＣＲ）、（ＲＶＮＲ）のそれぞれの制御信号による開度制御に切換えられ、また、冷媒液用ポンプ（ＰＲ）も再作動され、従来機と同様の制御に戻される。」（公報第３頁右上欄第６行〜同左下欄第１０行）
ことが、それぞれ図面とともに記載されている。
ｄ、本件特許異議申立において引用された甲第１号証記載の発明
　本件特許異議申立において引用された甲第１号証（特開昭５９−１２２８７１号公報）には、
「本発明の実施例を図面を用いて説明すれば、第２図に示す如く、吸収器Ａ、発生器Ｇ、凝縮器Ｃ、蒸発器Ｅ、溶液熱交換器Ｘ、溶液ポンプＳＰ、冷媒ポンプＲＰが備えられ、溶液経路として配管１、２、３、４、５、スプレー管６、オーバーフロー管７を備え、冷煤経路として配管８、９、スプレー管１０、配管１１が上述の機器を接続して冷凍サイクルを形成している。
　１２は加熱管、１３は熱源熱量調節弁である。
　冷却水系統としては、冷却水ポンプ１４、配管１５、冷却水管１６、配管１７、冷却水管１８、配管１９が備えられ、吸収器Ａ及び凝縮器Ｃを冷却するようになっている。冷却水に代えて空気で冷却する方法もある．この場合冷却水ポンプ１４の代りに冷却フアンを用いる。２０は冷水管で、配管２１、２２により蒸発器Ｅに冷水を導くものである。
　２３は冷水出口温度を検出する温度検出器、２４は凝縮器Ｃの冷却水の出口温度を検出する温度検出器、２６は凝縮器Ｃにおける凝縮温度を検出する温度検出器、２５は、温度検出器２３、２４、２６からの信号を受けて熱源熱量調節弁１３ を操作する制御器である。
　この制御機構の作用につき説明する。例えば冷房サイクルを行なう場合、定常運転時においては温度検出器２３による冷水出口温度の信号により制御器２５を介して熱源熱量調節弁１３の開度を調節して冷水の温度制御を行なう。暖房時、或いはヒートポンプ運転時には温度検出器２４からの温水出口温度の信号により温水の温度制御を行なう。
　起動時や据付当初などにおいて前述の如く、冷却水温度が低かったり、冷却水管１８の伝熱係数か高かったりして過負荷がかかると、凝縮器Ｃにおける冷媒凝縮量が増大し溶液濃度が増大する。
　このとき、発生器Ｇの溶液出口濃度を直接又は間接的にとらえて結晶の危険があれば熱源熱量調節弁１３を閉じる方向に操作して加熱量を減少せしめる。」（公報第２頁右上欄第２０行〜同右下欄第１７行）
ことが、図面第２図とともに記載されている。
ｅ、本件特許異議申立において引用された甲第２号証記載の発明
　本件特許異議申立において引用された甲第２号証（「吸収冷凍機」高田秋一著、（社）日本冷凍協会、昭和５７年３月１５日発行）には、その第２１２頁の「［５］異常停止時に必要なもの（図１４．１８）」の項目に、
「希釈サーモスタットの代りにタイマーが使用される場合がある。希釈サーモスタットは単効用に，またタイマーは二重効用に用いられている場合が多い。」
ことが記載がされている。
ｆ、対比・判断
　まず、訂正後の本件請求項１に係る発明について検討する。
訂正後の本件請求項１に係る発明と本件取消理由通知において引用された上記刊行物１（特開昭６１−１７８７２号公報）記載の発明とを対比すると、上記刊行物１記載の発明は上記（４）のａで認定したとおりであるから、訂正後の本件請求項１に係る発明における「再生器」、「凝縮器」、「蒸発器」、「吸収器」、「濃液濃度が上昇して設定値になったとき」及び「濃液濃度が設定値になった時の加熱量より少ない加熱量に再生器の加熱量を・・（中略）・・制御し」は、上記刊行物１記載の発明における「発生器（２）（３）」、「凝縮器（４）」、「蒸発器（６）」、「吸収器（７）」、「濃液濃度が結晶化濃度に達する前に」及び「熱交換器（２７）出口側の冷水温度による加熱量の制御に優先して制御弁（Ｖ）の開度を減じる」にそれぞれ相当するので、結局、両者は、
「再生器、凝縮器、蒸発器、及び吸収器をそれぞれ配管接続し、再生器の加熱量を蒸発器の冷水出口温度に基づいて制御する吸収冷凍機の制御方法において、再生器を加熱している通常運転中に、濃液濃度が上昇して設定値になったときには、濃液濃度が設定値になった時の再生器の加熱量より少ない加熱量に再生器の加熱量を制御する吸収冷凍機の制御方法。」
である点で一致し、本件請求項１に係る発明が、濃液濃度が上昇して設定値になったとき、濃液濃度が設定値になった時の再生器の加熱量より少ない加熱量に再生器の加熱量を制御する際、その制御を「所定時間」するとともに、その「所定時間が経過したとき、濃液濃度が設定値より低い場合には再生器の加熱量を蒸発器の冷水出口温度に基づいて制御する」のに対し、上記刊行物１記載の発明はその制御をどのようにするのか明らかでない点で相違している。
　そこで、上記相違点について検討すると、濃液濃度が上昇して設定値になったとき、濃液濃度が設定値になった時の再生器の加熱量より少ない加熱量に再生器の加熱量を制御する際、その制御を「所定時間」行うこと、および、再び再生器の加熱量を蒸発器の冷水出口温度に基づいて制御する場合を、「所定時間が経過したとき、濃液濃度が設定値より低い場合」とすることは、上記ｂ〜ｅで指摘した他の刊行物にも示唆されていない技術的事項である。
そして、本件請求項１に係る発明は、そのことを発明の構成とすることにより、「濃液濃度制御の簡略化を図ることができる」ばかりでなく、「再生器の加熱量を蒸発器の冷水出口温度に基づいて行う通常運転の制御を犠牲にしないで済み効率的な運転ができる」という、上記いずれの刊行物記載の発明にも示唆されていない本件明細書記載のとおりの効果を同時に達成できるものである。
　したがって、本件請求項１に係る発明は、上記ａ〜ｅで指摘した刊行物記載の発明から容易に発明をすることができたものと判断することができない。
　また、本件請求項２又は請求項３に係る発明についてみても、本件請求項２に係る発明が、本件請求項１に係る発明と比較し、濃液濃度が上昇して設定値になったときには、「濃液濃度が設定値になったときの加熱量に１より小さい値を乗じた加熱量」に制御するという構成上の相違、また、請求項３に係る発明が、濃液濃度が上昇して設定値になったときには、「濃液濃度が設定値になったときの制御弁の開度の値に１より小さい値を乗じた開度に制御弁の開度を」制御するという構成上の相違を有しているものの、両請求項に係る発明は、いずれも請求項１の場合と同様の上述の相違点を有するものである。
　したがって、本件請求項２〜３に係る発明も、本件請求項１に係る発明と同様に、上記ａ〜ｅで指摘した刊行物記載の発明から容易に発明をすることができたものと判断することはできない。
ｇ、訂正の適否についての結論
　以上のとおりであるから、上記訂正事項（イ）〜（ソ）による訂正は、いずれも特許法等の一部を改正する法律（平成６年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
３、特許異議申立について
（１）本件特許の発明
　本件特許の訂正後の請求項１〜３に係る発明は、上記訂正がいずれも上述のごとく適法なものであるから、上記２の（１）で認定した訂正後の特許請求の範囲請求項１〜３に記載されたとおりのものである。
（２）特許異議申立の概要
　本件特許異議申立人は、甲第１号証〜甲第２号証を提示し、要するに本件特許の請求項１〜３に係る発明は、甲第１号証及び甲第２号証に記載された発明に基づいて、その発明の属する技術の分野における通常の知識を有する者が容易に発明をすることができたものであるから、特許法第２９条第２項の規定により特許を受けることができないものであり、特許法第１１３条第１項第２号の規定により取り消されるべきである旨主張している。
（３）特許異議申立理由の検討
　本件特許の訂正後の請求項１〜３に係る発明は、上述のように本件特許異議申立人が提示した上記甲第１〜２号証記載の発明又は取消理由通知等で引用した上記刊行物記載の発明とは、上記２の（４）のｆで指摘した相違を、いずれの請求項も有するものであって、それらの発明から当業者が容易に発明できたものということができない。
（４）むすび
　以上のとおりであるから、本件特許異議申立の理由及び証拠には、本件特許の訂正後の請求項１〜３に係る発明の特許を取り消すべき理由を発見しない。
　また、本件特許の訂正後の請求項１〜３に係る発明の特許を取り消すべき理由を他に発見しない。
　よって、平成６年改正法附則第１４条の規定に基づく、特許法等の一部を改正する法律の施行に伴う経過措置を定める政令（平成７年政令第２０５号）第４条第２項の規定により、上記結論のとおり決定する。
【異議決定日】
平成１２年９月１２日（２０００．９．１２）
【訂正の要旨】
訂正の要旨
（イ）本件特許明細書の特許請求の範囲の欄に記載された請求項１〜３の各記載を、下記のように訂正をする。
「【請求項１】再生器、凝縮器、蒸発器、及び吸収器をそれぞれ配管接続し、再生器の加熱量を蒸発器の冷水出口温度に基づいて制御する吸収冷凍機の制御方法において、再生器を加熱している通常運転中に、濃液濃度が上昇して設定値になったときには、濃液濃度が設定値になった時の再生器の加熱量より少ない加熱量に再生器の加熱量を所定時間制御し、該所定時間が経過したとき、濃液濃度が設定値より低い場合には再生器の加熱量を蒸発器の冷水出口温度に基づいて制御することを特徴とする吸収冷凍機の制御方法。
　【請求項２】再生器、凝縮器、蒸発器、及び吸収器をそれぞれ配管接続し、再生器の加熱量を蒸発器の冷水出口温度に基づいて制御する吸収冷凍機の制御方法において、再生器を加熱している通常運転中に、濃液濃度が上昇して設定値になったときには、濃液濃度が設定値になった時の加熱量に１より小さい値を乗じた加熱量に再生器の加熱量を所定時間制御し、該所定時間が経過したとき、濃液濃度が設定値より低い場合には再生器の加熱量を蒸発器の冷水出口温度に基づいて制御することを特徴とする吸収冷凍機の制御方法。
　【請求項３】再生器、凝縮器、蒸発器、及び吸収器をそれぞれ配管接続し、再生器の加熱量の制御弁の開度を蒸発器の冷水出口温度に基づいて制御する吸収冷凍機の制御方法において、再生器を加熱している通常運転中に、濃液濃度が上昇して設定他になったときには、濃液濃度が設定値になった時の制御弁の開度の値に１より小さい値を乗じた開度に制御弁の開度を所定時間制御し、該所定時間が経過したとき、濃液濃度が設定値より低い場合には再生器の加熱量を蒸発器の冷水出口温度に基づいて制御することを特徴とする吸収冷凍機の制御方法。」
（ロ）本件特許明細書の第６頁第９行〜同頁第１２行（公報第４欄第１５行〜同欄第第１８行）「濃液濃度が上昇〜所定時間制御する」の記載を、「再生器を加熱している通常運転中に、濃液濃度が上昇して設定値になったときには、濃液濃度が設定値になった時の再生器の加熱量より少ない加熱量に再生器の加熱量を所定時間制御し、該所定時間経過したとき、濃液濃度が設定値より低い場合には再生器の加熱量を蒸発器の冷水出口温度に基づいて制御する」と訂正する。
（ハ）本件特許明細書の第６頁第１７行〜同頁第２０行（公報第４欄第２３行〜同欄第２６行）「濃液濃度が上昇〜所定時間制御する」の記載を、「再生器を加熱している通常運転中に、濃液濃度が上昇して設定値になったときには、再生器（１）の加熱量をその時の加熱量に１より小さい値を乗じた加熱量に所定時間制御し、該所定時間経過したとき、濃液濃度が設定値より低い場合には再生器の加熱量を蒸発器の冷水出口温度に基づいて制御する」と訂正する。
（ニ）本件特許明細書の第７頁第６行〜同頁第９行（公報第４欄第３１行〜同欄第３４行）「濃液濃度と〜所定時間制御する」の記載を、「再生器を加熱している通常運転中に、濃液濃度と設定値とを比較し、濃液濃度が上昇して設定値になったときには、制御弁（３５）の開度をその時の制御弁（３５）の開度の値に１より小さい値を乗じた開度に所定時間制御し、該所定時間経過したとき、濃液濃度が設定値より低い場合には再生器の加熱量を蒸発器の冷水出口温度に基づいて制御する」と訂正する。
（ホ）本件特許明細書の第７頁第１６行（公報第４欄第４０行）「吸収冷凍機の運転時、」の記載を、「再生器を加熱している吸収冷凍機の通常運転時、」と訂正する。
（ヘ）本件特許明細書の第７頁第１８行〜第８頁第１行（公報第４欄第４２行〜同欄第４４行）「所定時間制御され〜可能になる。」の記載を、「所定時間制御され、該所定時間経過したとき、濃液濃度が設定値より低い場合には再生器の加熱量が蒸発器の冷水出口温度に基づいて制御されるため、再生器（１）での吸収液の濃縮が減速され、吸収液の濃度が薄くなり、吸収冷凍機の通常運転中における吸収液の結晶防止を図ることが可能になる。」と訂正する
（ト）本件特許明細書の第８頁第２行（公報第４欄第４５行）「吸収冷凍機の運転時、」の記載を、「再生器を加熱している吸収冷凍機の通常運転時、」と訂正する。
（チ）本件特許明細書の第８頁第５行〜第８頁第７行（公報第４欄第４７行〜同欄第５０行）「所定時間制御され〜可能になる。」の記載を、「所定時間制御され、該所定時間経過したとき、濃液濃度が設定値より低い場合には再生器の加熱量が蒸発器の冷水出口温度に基づいて制御されるため、再生器（１）での吸収液の濃縮が減速され、吸収液の濃度が薄くなり、吸収冷凍機の通常運転中における吸収液の結晶防止を図ることが可能になる。」と訂正する。
（リ）本件特許明細書の第８頁第１０行〜第８頁第１４行（公報第５欄第３行〜同欄第６行）「所定時間制御され〜可能になる。」の記載を、「所定時間制御され、該所定時間経過したとき、濃液濃度が設定値より低い場合には再生器の加熱量が蒸発器の冷水出口温度に基づいて制御されるため、その所定時間の間に、再生器（１）の加熱量が小さくなり、吸収液の濃縮が減速され、吸収液の濃度が薄くなり、吸収冷凍機の通常運転中における吸収液の結晶化を防止することが可能になる。」と訂正する。
（ヌ）本件特許明細書の第１０頁第１０行（公報第６欄第５行）「上記二重効用吸収冷凍装置の運転時、」の記載を、「上記二重効用吸収冷凍装置の再生器を加熱している通常運転時、」と訂正する。
（ル）本件特許明細書の第１１頁第１０行（公報第６欄第２４行）「吸収冷凍機の運転が」の記載を、「吸収冷凍機の通常運転が」と訂正する。
（ヲ）本件特許明細書の第１４頁第３行（公報第７欄第１２行）「濃液濃度が」の記載を、「吸収冷凍機の再生器を加熱している通常運転中に、濃液濃度が」と訂正する。
（ワ）本件特許明細書の第１４頁第９行（公報第７欄第１７行〜同欄第１８行）「この結果、」の記載を、「この結果、吸収冷凍機の通常運転中であっても、」と訂正する。
（カ）本件特許明細書の第１４頁第１２行（公報第７欄第２０行）「濃液濃度が」の記載を、「吸収冷凍機の再生器を加熱している通常運転中に、濃液濃度が」と訂正する。
（ヨ）本件特許明細書の第１５頁第１４行（公報第８欄第９行）「濃液濃度が」の記載を、「吸収冷凍機の再生器を加熱している通常運転中に、濃液濃度が」と訂正する。
（タ）本件特許明細書の第１６頁第２行（公報第８欄第１５行〜同欄第１６行）「この結果、」の記載を、「この結果、吸収冷凍機の通常運転中であっても、」と訂正する。
（レ）本件特許明細書の第１６頁第７行〜同頁第８行（公報第８欄第１９行〜同欄第２１行）「所定時間制御することにより結晶防止を図ることができる。」の記載を、「所定時間制御し、該所定時間経過したとき、磯液濃度が設定値より低くなると、再生器の加熱量が蒸発器の冷水出口温度に基づいて制御されるため、吸収冷凍機の通常運転時における結晶防止を図ることができる。」と訂正する。
（ソ）本件特許明細書第１６頁第８行と第９行（公報第８欄第２１行と第２２行）の間に「このように、吸収冷凍機の再生器の加熱量を蒸発器の冷水出口温度に基づいて制御している通常運転中に、濃液濃度が設定値になった場合には、蒸発器の冷水出口温度に基づいて制御されるべき加熱量を所定時間小さくし、その結果、所定時間経過後に濃液濃度が設定値より低くなると、吸収冷凍機は、再び蒸発器の冷水出口温度に基づいて再生器の加熱量が制御されるようにしているので、吸収冷凍機の運転を停止することなく結晶防止を図ることができると共に、蒸発器の冷水出口温度に基づいて制御されるべき加熱量を所定時間小さく制御するのは、濃液濃度が設定値になった時に行うので、再生器の加熱量を蒸発器の冷水出口温度に基づいて行う通常運転の制御を犠牲にしないで済み効率的な運転ができるのである。」の記載を挿入する。
（５４）【発明の名称】
吸収冷凍機の制御方法
（５７）【特許請求の範囲】
　【請求項１】再生器、凝縮器、蒸発器、及び吸収器をそれぞれ配管接続し、再生器の加熱量を蒸発器の冷水出口温度に基づいて制御する吸収冷凍機の制御方法において、再生器を加熱している通常運転中に、濃液濃度が上昇して設定値になったときには、濃液濃度が設定値になった時の再生器の加熱量より少ない加熱量に再生器の加熱量を所定時間制御し、該所定時間が経過したき、濃液濃度が設定値より低い場合には再生器の加熱量を蒸発器の冷水出口温厚に基づいて制御することを特徴とする吸収冷凍機の制御方法。
　【請求項２】再生器、凝縮器、蒸発器、及び吸収器をそれぞれ配管接続し、再生器の加熱量を蒸発器の冷水出口温度に基づいて制御する吸収冷凍機の制御方法において、再生器を加熱している通常運転中に、濃液濃度が上昇して設定値になったときには、濃液濃度が設定値になった時の加熱量に１より小さい値を乗じた加熱量に再生器の加熱量を所定時間制御し、該所定時間が経過したとき、濃液濃度が設定値より低い場合には再生器の加熱量を蒸発器の冷水出口温度に基づいて制御することを特徴とする吸収冷凍機の制御方法。
　【請求項３】再生器、凝縮器、蒸発器、及び吸収器をそれぞれ配管接続し、再生器の加熱量の制御弁の開度を蒸発器の冷水出口温度に基づいて制御する吸収冷凍機の制御方法において、再生器を加熱している通常運転中に、濃液濃度が上昇して設定値になったときには、濃液濃度が設定値になった時の制御弁の開度の値に１より小さい値を乗じた開度に制御弁の開度を所定時間制御し、該所定時間が経過したとき、濃液濃度が設定値より低い場合には再生器の加熱量を蒸発器の冷水出口温度に基づいて制御することを特徴とする吸収冷凍機の制御方法。
　【請求項４】上記所定時間が経過したとき、濃液濃度が設定値以上の場合には吸収冷凍機の運転を停止させることを特徴とする特許請求の範囲第１項、第２項、及び第３項記載の吸収冷凍機の制御方法。
【発明の詳細な説明】
（イ）産業上の利用分野
　本発明は吸収冷凍機の制御方法に関する。
（ロ）従来の技術
　例えば特開昭５８−１６０７８３号公報には、凝縮器の冷媒凝縮温度から凝縮圧力を算出するか、直接凝縮圧力を検出し、この圧力と低温再生温度とより濃液濃度を算出し、この濃度の温度が一番低くなる低温熱交換器出口温度を別に検出し、この温度の吸収液結晶濃度と上記で算出した濃液濃度との差を濃度余裕度ととらえ、この濃度余裕度が設定値と比較して大なら加熱源入力を増大させ、小なら減少させる制御を行い結晶防止と高効率運転を行う吸収冷凍機制御装置が開示されている。
（ハ）発明が解決しようとする課題
　上記従来の技術ではその演算プロセスが複雑でありかつ温度検出用センサーも４点必要であるなど、機構が複雑で高価なものになっていた。すなわち、凝縮冷却温度と水の飽和特性とから低温再生器内の圧力を算出し、この圧力と、低温再生器出口吸収液（濃液）温度から吸収液濃度曲線に従ってこの濃液濃度を算出する。
　一方、低温熱交換器出口濃液温度から、結晶析出特性曲線に従って結晶析出濃度を算出する。そして、ここで算出された結晶析出濃度と上記で算出された濃液濃度との差を濃度余裕度として算出する。そして、別に濃度余裕度の設定値を設定器に設定しておき、前記算出した濃度余裕度が設定器に設定された値より大きくなると、加熱量は増加され濃度余裕度が設定値になるよう制御され、小さくなると加熱量は減少され、濃度余裕度が設定値になるよう制御される。又、冷水出口温度にも設定器により設定値が設定されており、冷水出口温度が設定値より高くなると加熱量は増加され冷水出口温度が設定値になるように制御され、設定値より低くなると加熱量は減少され、冷水出口温度が設定値になるように制御される。そして、双方の制御量の合計が実際の加熱源制御量として加熱源制御弁に与えられる。
　このことは２つの異なった制御が加えられることとなり、制御上の矛盾を引き起こしている。すなわち、冷水出口温度が設定値に達している時、濃液濃度が上昇し、濃度余裕度が設定器に設定された値より小さくなると、加熱量は減少され、濃度余裕度が設定値になるよう制御される。しかし、濃度が稀くなると、冷凍能力が出にくくなるので冷水出口温度は上昇してくる。すると、冷水出口温度が設定器に設定された値より高くなるため、加熱量は増大され冷水出口温度が設定値になるように制御される。すると、又、濃液の濃度が上昇し、濃度余裕度が設定器に設定された値より小さくなってしまい結晶の危険はいっこうに緩和されない。
　又、濃度余裕度が設定値に達している時、冷水負荷が減少し冷水出口温度が低下し設定器に設定された冷水出口温度より低下した場合、加熱量は減少され、冷水出口温度が設定値になるように制御される。しかし、加熱量を減少させれば濃液濃度は稀くなり、濃度余裕度は設定値より大きくなってしまう。このため加熱量は増大され、濃度余裕度が設定器に設定された値になるように制御される。このため、冷水出口温度は低下し、負荷に対応した冷水出口温度を得ることができなくなってしまう。
　以上のように、冷水出口温度と濃度余裕度の両方を設定値に合わせようとする制御は成立せず、どちらか一方を満足するような制御、すなわち優先順位を持った制御が必要である。
　本発明は結晶の発生を防止すると共に、制御を簡略化することを目的とする。
（ニ）課題を解決するための手段
　本発明は上記課題を解決するために、再生器（１），（２）、凝縮器（３）、蒸発器（４）、及び吸収器（５）をそれぞれ配管接続し、再生器（１）の加熱量を蒸発器（４）の冷水出口温度に基づいて制御する吸収冷凍機の制御方法において、再生器を加熱している通常運転中に、濃液濃度が上昇して設定値になったときには、濃液濃度が設定値になった時の再生器の加熱量より少ない加熱量に再生器の加熱量を所定時間制御し、該所定時間経過したとき、濃液濃度が設定値より低い場合には再生器の加熱量を蒸発器の冷水出口温度に基づいて制御する吸収冷凍機の制御方法を提供するものである。
　又、再生器（１），（２）、凝縮器（４）、及び吸収器（５）をそれぞれ配管接続し、再生器（１）の加熱量を蒸発器（４）の冷水出口温度に基づいて制御する吸収冷凍機の制御方法において、再生器を加熱している通常運転中に、濃液濃度が上昇して設定値になったときには、再生器（１）の加熱量をその時の加熱量に１より小さい値を乗じた加熱量に所定時間制御し、該所定時間経過したとき、濃液濃度が設定値より低い場合には再生器の加熱量を蒸発器の冷水出口温度に基づいて制御する吸収冷凍機の制御方法を提供するものである。
　又、再生器（１），（２）、凝縮器（３）、蒸発器（４）、及び吸収器（５）をそれぞれ配管接続し、再生器（１）の加熱量の制御弁（３５）の開度を蒸発器（４）の冷水出口温度に基づいて制御する吸収冷凍機の制御方法において、再生器を加熱している通常運転中に、濃液濃度と設定値とを比較し、濃液濃度が上昇して設定値になったときには、制御弁（３５）の開度をその時の制御弁（３５）の開度の値に１より小さい値を乗じた開度に所定時間制御し、該所定時間経過したとき、濃液濃度が設定値より低い場合には再生器の加熱量を蒸発器の冷水出口温度に基づいて制御する吸収冷凍機の制御方法を提供するものである。
　さらに、上記所定時間が経過した時、濃液濃度が設定値以上のときには、吸収冷凍機の運転を停止させる吸収冷凍機の制御方法を提供するものである。
（ホ）作　用
　再生器を加熱している吸収冷凍機の通常運転時、濃液濃度が上昇して設定値になったときには、再生器（１）の加熱量がその時の加熱量より少ない加熱量に所定時間制御され、該所定時間経過したとき、濃液濃度が設定値より低い場合には再生器の加熱量が蒸発器の冷水出口温度に基づいて制御されるため、再生器（１）での吸収液の濃縮が減速され、吸収液の濃度が薄くなり、吸収冷凍機の通常運転中における吸収液の結晶防止を図ることが可能になる。
　又、再生器を加熱している吸収冷凍機の通常運転時、濃液濃度が上昇して設定値になったときには、再生器（１）の加熱量がその時の加熱量に１より小さい値を乗じた加熱量に所定時間制御され、該所定時間経過したとき、濃液濃度が設定値より低い場合には再生器の加熱量が蒸発器の冷水出口温度に基づいて制御されるため、再生器（１）での吸収液の濃縮が減速され、吸収液の濃度が薄くなり、吸収冷凍機の通常運転中における吸収液の結晶化を防止することが可能になる。
　又、再生器を加熱している吸収冷凍機の通常運転時、濃液濃度が上昇して設定値になったときには、再生器（１）加熱量の制御弁（３５）の開度が、その時の開度に１より小さい値を乗じた開度に所定時間制御され、該所定時間経過したとき、濃液濃度が設定値より低い場合には再生器の加熱量が蒸発器の冷水出口温度に基づいて制御されるため、その所定時間の間に、再生器（１）の加熱量が小さくなり、吸収液の濃縮が減速され、吸収液の濃度が薄くなり、吸収冷凍機の通常運転中における吸収液の結晶化を防止することが可能になる。
　又、濃液濃度が設定値以上になった後、所定時間経過時の濃液濃度が設定値以上のときには、吸収冷凍機の運転が停止されるため、異常運転時の吸収液の結晶化を防止することが可能になると共に、異常運転による吸収冷凍機の破損を防止することが可能になる。
（ヘ）実施例
　以下、本発明の一実施例を図面に基づいて詳細に説明する。
　図に示したものは二重効用吸収冷凍機であり、冷媒に水（Ｈ２０）を、吸収剤（吸収液）に臭化リチウム（ＬｉＢｒ）水溶液を使用したものである。
　図において、（１）はガスバーナ（１Ｂ）を備えた高温再生器、（２）は低温再生器、（３）は凝縮器、（４）は蒸発器、（５）は吸収器、（６）は低温熱交換器、（７）は高温熱交換器、（８）ないし（１２）は吸収液配管、（１５）は吸収液ポンプ、（１６）ないし（１８）は冷媒配管、（１９）は冷媒ポンプ、（３６）はガスバーナ（１Ｂ）に接続されたガス配管、（２２）は冷水配管、（２３）は冷却水配管であり、それぞれは第１図に示したように配管接続されている。又、（２４）は冷水配管（２２）の出口側に設けられた冷水出口温度検出器（以下第１温度センサという）、（２５）は凝縮器（３）に設けられた凝縮温度検出器（以下第２温度センサという）、（２６）は低温再生器（２）出口側に設けられた再生温度検出器（以下第３温度センサという）である。さらに、（２７）は制御装置であり、（３０）は第２，第３温度センサ（２５），（２６）から温度信号を入力して濃液濃度を算出する濃度算出装置、（３１）は濃度算出装置（３０）からの信号、及び第１温度センサ（２４）からの信号に基づいて動作する容量制御装置である。又、（３２）はタイマ装置、（３３）は表示器、（３４）はブザーである。さらに、（３５）はガス配管（３６）の途中に設けられた加熱量制御弁である。
　上記二重効用吸収冷凍装置の再生器を加熱している通常運転時、高温再生器（１）で蒸発した冷媒は低温再生器（２）を経て凝縮器（３）に入り、冷却水配管（２３）内を流れる水と熱交換して凝縮液化した後冷却配管（１７）を介して蒸発器（４）へ流れる。そして、冷媒液が冷水配管（２２）内の水と熱交換して蒸発し、気化熱によって冷水配管（２２）内の水が冷却される。又、蒸発器（４）で蒸発した冷媒は吸収器（５）で吸収液に吸収される。そして、冷媒を吸収して濃度の薄くなった吸収液が吸収液ポンプ（１５）の運転により低温熱交換器（６）、高温熱交換器（７）を経て高温再生器（１）へ送られる。高温再生器（１）に入った吸収液はバーナ（１Ｂ）によって加熱され、冷媒が蒸発し、中濃度の吸収液が高温熱交換器（７）を経て低温再生器（２）に入る。そして、吸収液は高温再生器（１）から冷媒配管（１６）を流れて来た冷媒蒸気により加熱され、さらに冷媒が蒸発分離され濃度が高くなる。高濃度になった吸収液（以下濃液という）は低温熱交換器（６）を経て温度低下して吸収器（５）へ流れ散布される。
　上記のように吸収冷凍機の通常運転が行われているとき、容量制御装置（３１）が第１温度センサ（２４）から冷水出口温度の信号を入力し、この信号に基づいて制御弁（３５）へ信号を出する。そして、高温再生器（１）の加熱量が冷水出口温度に基づいて制御される。
　又、濃度算出装置（３０）が第３温度センサ（２６）と第２温度センサ（２５）とから低温再生器再生温度Ｔ１と凝縮温度Ｔ２との信号を入力する。そして、濃度算出装置（３０）にて下記の一次近似式（Ａ）に基づいて濃液濃度Ｘが算出される。ここで、式（Ａ）において、ａ１，ａ２，ａ３，ａ４は定数である。
　そして、濃度算出装置（３０）にて算出された濃液濃度の信号が容量制御装置（３１）へ出力される。容量制御装置（３１）にて濃液濃度と予め設定された設定値とが比較され、濃液濃度が上昇して設定値になった場合には、容量制御装置（３１）が動作する。そして、容量制御装置（３１）にて、そのときの制御弁（３５）の開度の６０％に制御弁（３５）の開度が設定される。即ち、濃液濃度が設定値になった時の開度が９０％のときには、９０×０．６＝５４〔％〕に設定され、制御弁（３５）が絞られて高温再生器（１）での加熱量が減少する。又、開度が７０％のときには７０×０．６＝４２〔％〕に設定される。又、濃液濃度が設定値になった時には、容量制御装置（３１）に設けられたタイマ装置（３２）がカウントを開始する。高温再生器（１）の加熱量が減少すると、高温再生器（１）にて発生する冷媒蒸気の量が減少し濃縮が減速する。又、高温再生器（１）から低温再生器（２）へ流れる吸収液の量が増加する。一方、吸収器（５）での冷媒蒸気の吸収が続き吸収液の濃度が低下する。そして、低温再生器再生温度が低下すると、濃度算出装置（３０）にて算出された濃液濃度が低下する。
　濃液濃度が設定値になってから所定時間（例えば１０分）経過すると、タイマ装置（３２）が動作し、タイマ装置（３２）の信号出力に基づいて制御装置（２７）が動作する。そして、タイマ装置（３２）から信号が出力された時点の濃液濃度が設定値より低い場合には、容量制御装置（３１）が冷水出口温度に応じた信号を制御弁（３５）へ出力し、冷水出口温度に応じた高温再生器（１）の加熱量制御が始まる。又、所定時間経過した時の濃液濃度が設定値以上の場合には、容量制御装置（３１）が動作して信号を出力し、制御弁（３５）が閉じ、バーナ（１Ｂ）の燃焼が停止する。そして、吸収液ポンプ（１５）は運転を継続し、吸収器（５）から高温再生器（１）、及び低温再生器（２）へ順次吸収液が流れ、通常の稀釈運転が行われる。又、制御装置（２７）からの信号に基づいて表示器（３３）が点灯すると共に、ブザー（３４）が発音する。そして、稀釈運転が終了すると吸収冷凍機の運転が停止する。
　上記本発明の実施例によれば、吸収冷凍機の再生器を加熱している通常運転中に、濃液濃度が上昇して設定値になったときには、制御弁（３５）の開度がその時の開度の６０％に所定時間絞られ、制御弁（３５）の開度がいずれの場合にも高温再生器（１）の加熱量が減少するため、吸収液の濃縮が減速され、又、吸収器（５）での冷媒蒸気の吸収が続き、吸収液の濃度が薄くなり、この結果、吸収冷凍機の通常運転中であっても吸収液の結晶化を防止することができると共に、濃液濃度制御の簡略化を図ることができる。
　又、吸収冷凍機の再生器を加熱している通常運転中に、濃液濃度が上昇して設定値になってから所定時間経過した時の濃液濃度が設定値以上のときには吸収冷凍機の運転を停止するため、不凝縮ガスの滞留、冷却水温度の上昇などによる異常運転時の吸収液の結晶化を防止することができると共に、異常運転による吸収冷凍機の破損を防止することができる。
　さらに、所定時間経過時の濃液濃度が設定値より低いときには、冷水出口温度に基づく高温再生器（１）の加熱量制御弁（３５）の開度制御が再び始められるため、一時的な濃液濃度の上昇に吸収冷凍機の運転を停止させることなく対応することができ、この結果、冷水出口温度の大幅な上昇を回避することができる。
　上記実施例において、制御弁（３５）の開度を制御する吸収冷凍機について説明したが、濃液濃度が設定値になったとき、高温再生器（１）の加熱量をそのときの加熱量に１より少ない値を乗じた量に制御した場合にも、上記実施例と同様の作用効果を得ることができる。
（ト）発明の効果
　本発明は以上のように構成された吸収冷凍機の制御方法であり、吸収冷凍機の再生器を加熱している通常運転中に、濃液濃度が上昇して設定値になったときには、その時の再生器の加熱量より小さい加熱量、又はその時の再生器の加熱量の値に１より小さい値を乗じた加熱量に再生器の加熱量を所定時間制御し、該所定時間経過したとき、濃液濃度が設定値より低い場合には再生器の加熱量を蒸発器の冷水出口温度に基づいて制御するため、濃液濃度が設定値になったときの加熱量がいずれの場合にも、再生器の加熱量が減少し、冷水出口温度に関係なく吸収液の濃縮が減速され濃液濃度を薄くすることができ、この結果、吸収冷凍機の通常運転中であっても、吸収液の結晶化を防止することができると共に、濃液濃度制御の簡略化を図ることができる。
　又、再生器加熱量の制御弁の開度を濃液濃度の上昇時、そのときの開度に１より小さい値を乗じた開度に所定時間制御し、該所定時間経過したとき、濃液濃度が設定値より低くなると、再生器の加熱量が蒸発器の冷水出口温度に基づいて制御されるため、吸収冷凍機の通常運転時における結晶防止を図ることができる。
　このように、吸収冷凍機の再生器の加熱量を蒸発器の冷水出口温度に基づいて制御している通常運転中に、濃液濃度が設定値になった場合には、蒸発器の冷水出口温度に基づいて制御されるべき加熱量を所定時間小さくし、その結果、所定時間経過後に濃液濃度が設定値より低くなると、吸収冷凍機は、再び蒸発器の冷水出口温度に基づいて再生器の加熱量が制御されるようにしているので、吸収冷凍機の運転を停止することなく、結晶防止を図ることができると共に、蒸発器の冷水出口温度に基づいて制御されるべき加熱量を所定時間小さく制御するのは、濃液濃度が設定値になった時に行うので、再生器の加熱量を蒸発器の冷水出口温度に基づいて行う通常運転の制御を犠牲にしないで済み効率的な運転ができるのである。
　又、所定時間経過時、濃液濃度が設定値以上のときには、吸収冷凍機の運転を停止させるため、異常運転時の吸収液の結晶化を防止することができる。
【図面の簡単な説明】
図は本発明の一実施例を示す吸収冷凍機の回路構成図である。
（１）……高温再生器、（２）……低温再生器、（３）……凝縮器、（４）……蒸発器、（５）……吸収器、（２７）……制御弁。